(57)【要約】  自動引き込み機能を有する延長ガイドのための閉止および保持用の装置が、延長ガイドのレール（２）に結合されることができる駆動体（５）が変位可能に保持されているハウジング（４）を有しており、ダンパハウジング（９）がハウジング（４）上に固定されており、ラッチ接続を介して駆動体（５）に結合されることができる変位可能ピストンロッド（１０）が上記ダンパハウジング上に配置されている。ダンパハウジング（９）は、ピストンロッド（１０）の運動方向に変位することができ、ピストンロッド（１０）を駆動体（５）に固定するためのラッチ接続が結合された後、ダンパハウジング（９）は、駆動体（５）によって動作位置に押し戻されることができる。その結果、ダンパを閉止および保持用の装置上に簡単に取り付けることができる。【選択図】  図１
2009537715.tif 000002
【特許請求の範囲】
【請求項１】
延長ガイドのための閉鎖および保持用の装置であって、
延長ガイドのレール（２）に結合されることができる駆動体（５）が、変位可能に保持されているハウジング（４）を有し、
ダンパハウジング（９）が、前記ハウジング（４）上に固定されており、
ラッチ接続を介して前記駆動体（５）に結合されることができる変位可能なピストン（１０）が、前記ダンパハウジング上に配置されている、閉鎖および保持用の装置において、
前記ダンパハウジング（９）が前記ピストン（１０）の運動方向に変位することができ、前記ピストン（１０）を前記駆動体（５）上に固定するために前記ラッチ接続が結合された後に、前記ダンパハウジング（９）が前記駆動体（５）によって動作位置に押し戻されることができることを特徴とする、閉鎖および保持用の装置。
【請求項２】
前記ハウジング（４）に対して前記ダンパハウジング（９）を変位するための力が、ピストンロッド（１０）を前記駆動体（５）上に固定するために前記ラッチ接続を結合するための力より大きいことを特徴とする、請求項１に記載の前記閉鎖および保持用の装置。
【請求項３】
前記ハウジング（４）に対して前記ダンパハウジング（９）を変位するための力が、前記ピストンロッド（１０）を前記駆動体（５）に固定するために前記ラッチ接続をするための力以下であることを特徴とする、請求項１に記載の閉鎖および保持用の装置。
【請求項４】
前記ダンパハウジング（９）が、クランプによって前記ハウジング（４）上に固着されていることを特徴とする、請求項１〜３のいずれか一項に記載の閉鎖および保持用の装置。
【請求項５】
前記ダンパハウジング（９）が、ラッチ手段を介して前記ハウジング（４）上に固着されていることを特徴とする、請求項１〜３のいずれか一項に記載の閉鎖および保持用の装置。
【請求項６】
前記ダンパハウジング（９）が、２つの停止位置の間に移動可能に保持されることを特徴とする、請求項１〜５のいずれか一項に記載の閉鎖および保持用の装置。
【請求項７】
前記ハウジング（４）に対して前記ダンパハウジング（９）を案内するための手段（１２、１３）が設けられていることを特徴とする、請求項１〜６のいずれか一項に記載の閉鎖および保持用の装置。
【請求項８】
前記ピストンロッド（１０）が前記駆動体（５）によって前記ダンパハウジング（９）から延出される場合も、前記ダンパハウジング（９）がダンパハウジング（９）の動作位置内に留まることを特徴とする、請求項１〜７のいずれか一項に記載の閉鎖および保持用の装置。
【請求項９】
２つの弾性ラッチウェブ（７）が、前記ハウジング（４）上に一体的に形成されており、前記ラッチウェブが前記ダンパハウジング（９）上のそれぞれの切欠き部（１２）内に突出部（８）によって係合していることを特徴とする、請求項１〜８のいずれか一項に記載の閉鎖および保持用の装置。
【請求項１０】
前記ダンパハウジング（９）が、円筒形に設計されており、かつ自動引き込み機構の前記ハウジング（４）上のスロット（１５）内に案内されている少なくとも１つのウェブ（１２、１３）を有することを特徴とする、請求項１〜９のいずれか一項に記載の閉鎖および保持用の装置。
【請求項１１】
前記駆動体（５）上の受け口内の適所にラッチ係合されることができる球状部（１１）が、前記ピストン（１０）の端部に設けられていることを特徴とする、請求項１〜１０のいずれか一項に記載の閉鎖および保持用の装置。
【請求項１２】
前記ダンパハウジング（９）が前記自動引き込み機構の前記ハウジング（４）の受け口内に固定されていることを特徴とする、請求項１〜１１のいずれか一項に記載の閉鎖および保持用の装置。
【発明の詳細な説明】
【技術分野】
【０００１】
本発明は、延長ガイドのための閉鎖および保持用の装置であって、延長ガイドのレールに結合されることができる駆動体が変位可能に保持されているハウジングを有し、ダンパハウジングがハウジング上に固定されており、ラッチ接続を介して駆動体に結合されることができる変位可能ピストンが上記ダンパハウジング上に配置されている、閉鎖および保持用の装置に関する。
【背景技術】
【０００２】
ＡＴ００７９０９Ｕ１は、ダンパが設けられている、引出し延長ガイドのための自動引き込み機構を開示している。
【０００３】
この場合、ダンパは、ピストンロッドの前端が所定の位置に配置されるように、位置的に固定されたやり方で、ハウジング内に固着される。ピストンロッドがラッチ手段を介して自動引き込み機構の駆動体に接続される場合、公差のために、ラッチ接続が生じない、または損なわれてしまうことがあり得る。加えて、ダンパを後付けすることはより難しい。なぜなら、正確な取り付けが必要とされ、かつピストンロッドと駆動体との間にラッチ接続を生成することが難しいからである。またこの目的のために、自動引き込み機構ハウジングは、レールから取り外されなければならない。
【発明の概要】
【発明が解決しようとする課題】
【０００４】
したがって、本発明の目的は、嵌合させ易く、かつダンパもまた簡単に後付けされることができる、閉鎖および保持用の装置を提供することである。
【課題を解決するための手段】
【０００５】
この目的は、請求項１の特徴部を有する閉鎖および保持用の装置によって達成される。
【０００６】
本発明によれば、ダンパハウジングは、ピストンの運動方向に変位することができ、ピストンを駆動体に固定するためにラッチ接続が結合された後、ダンパハウジングが駆動体によって動作位置に押し戻されることが、可能になっている。その結果、ダンパはまた、簡単に後付けされることもできる。これは、変位可能であるということが、特に、ピストンと共にダンパが、ダンパのその後の動作位置におけるよりもダンパのラッチ位置において、駆動体により近い位置にある場合には、公差がある程度補償されることを意味するからである。これにより、ダンパを作動させるためにラッチ接続がしっかりと結合されることが、確実になる。さらに、自動調整が組立の間に行われるが、これは、この結合後、ダンパハウジングがまた、所望の動作位置に変位することができるからである。これによって操縦性が促進されるが、これは、組立の間、正しい位置に関する特別な知識が必要とされず、簡単に組立が行われ得るからである。
【０００７】
閉鎖および保持用の装置のハウジングに関してダンパハウジングを変位するための力は、ピストンロッドを駆動体に固定するためにラッチ接続を結合するための力より大きいことが好ましい。その結果、組立は、完全に押されたダンパによってレールが延出された状態であっても、行うことができる。ダンパは、ラッチ接続が結合されて初めて、押し戻される。
【０００８】
しかし、ハウジングに関してダンパハウジングを変位するための力がラッチ接続を結合するための力より小さくなるように構成することもまた、可能である。この場合は、組立は、レールが押し込まれかつ固着された状態で行われ、ダンパは、ラッチ接続が生じるまで押され続けることが好ましい。
【０００９】
本発明の好ましい構成によれば、ダンパハウジングは、クランプによって自動引き込み機構のハウジングに固着されている。これにより、確実に、ダンパハウジングを変位するための力は、ラッチ接続を結合するための力より大きくなる。しかし、締付力は、家具部品を閉じるためにダンパが元に戻される際に生じる力より小さいため、ダンパハウジングは自動的に位置合わせされる。ダンパハウジングを固着しているクランプ装置の代わりに、ダンパハウジングの固定を確実に行う、対応するラッチ手段が設けられてもよい。この場合、ダンパハウジングは、２つの停止位置の間に一定量の遊びを有して移動可能に保持されていることが好ましい。
【００１０】
ダンパハウジングを調整された状態で動かすために、ダンパハウジングの運動を案内するための手段が設けられることが好ましく、上記手段は、横方向力を回避する。この場合、ピストンが駆動体によってダンパハウジングから外へ延出される場合でも、ダンパハウジングは、ダンパハウジングの動作位置内に留まる。すなわち、ハウジングとダンパハウジングとの間の保持力は、駆動体によるピストンを延出するための力より大きい。ラッチ手段が設けられる場合には、ラッチ手段による保持力は、また、ピストンを延出させるための力より大きくてもよい。
【００１１】
ラッチ接続の機械的構成を簡単にするために、２つの弾性ラッチウェブが、ハウジング上に一体的に形成されてもよく、上記ラッチウェブは、突出部によって、ダンパハウジング上のそれぞれの切り欠き部内に係合する。しかし、他のラッチ機構もまた、使用することができる。
【００１２】
本発明の更なる構成によれば、ダンパハウジングは、円筒形に設計されており、かつ自動引き込み機構のハウジング上のスロット内へ案内されている少なくとも１つのウェブを有する。その結果、自動引き込み機構のハウジングに対し、ダンパハウジングの直線状の運動のみが可能となり、位置的に正しい組立が確実に行われる。
【００１３】
機械的結合を簡単にするために、駆動体上の受け口内の適切な場所にラッチ係合されることができる球状部が、ピストンロッドの端部に設けられている。その結果、駆動体はまた、ピストンロッドに対して枢動されることもできるが、これは、駆動体のプレストレスが掛けられたパーキング位置が到達された場合、正に必要とされることである。
【００１４】
構成をコンパクトにするために、ダンパハウジングは、自動引き込み機構のハウジングの受け口内に固定されてもよい。
【００１５】
本発明を、例示的な実施形態を使用し、添付図面を参照して、さらに詳細に以下に説明する。
【図面の簡単な説明】
【００１６】
【図１】ダンパの組立の間の、延長ガイドのための自動引き込み機構の斜視図を示す。
【図２Ａ】ほぼ完全に嵌合されたダンパを有する自動引き込み機構の斜視図を示す。
【図２Ｂ】ダンパハウジングおよび自動引き込み機構のハウジングの図を示す。
【図３】ダンパの組立後の自動引き込み機構の斜視図を示す。
【図４】ダンパを有する自動引き込み機構の側面図を示す。
【図５】ダンパを有さない自動引き込み機構の斜視図を示す。
【図６】ダンパハウジングの斜視図を示す。
【発明を実施するための形態】
【００１７】
延長ガイドのための自動引き込み機構が、例えば、引出しを搭載するための家具本体の側壁に延長ガイドのレール１が固着された状態で、家具本体に嵌合されている。レール１は、転動体を介して１つ以上の変位可能レール２に結合されている。
【００１８】
自動引き込み機構３が、固定レール１と可動レール２との間に設けられており、上記自動引き込み機構は、閉じる動きを補助し、かつ可動家具部品が閉位置に保持されるのを確実にしている。自動引き込み機構３は、細長いハウジング４を備え、このハウジング４上に、ばねを介してプレストレスを掛けられた駆動体５が可動式に案内されている。駆動体５は、接続要素６を介してレール２に結合されている。この場合、駆動体５は、湾曲ガイド１６に沿って動かされることができる。この湾曲ガイド１６は、端部で角度をつけられ、これによって、駆動体５の枢動を可能にし、その結果、接続要素６は駆動体５からはずされることができ、家具部品はさらに開けられるようになっている。
【００１９】
駆動体５の引き込み運動のために、制動を提供して可動家具部品が衝突しないようにすることがしばしば望ましい。本発明による自動引き込み機構３の場合、このようなダンパは、簡単に後付けされることができる。
【００２０】
ダンパが、円筒形ダンパハウジング９を備えており、変位可能ピストンにピストンロッド１０が搭載されている。このピストンロッド１０は、ダンパハウジング９から延出方向に滑らかに動くことができ、かつ閉じる動きを制動するために、反対の引き込み方向には適切なやり方で動きにくくなっている。ピストンロッド１０は、一端に球状部１１を有し、この球状部１１は、ピストンおよびピストンロッド１０の運動を駆動体５に結合させるために、駆動体５上の受け口にラッチ係合されることができる。
【００２１】
組立の間にダンパハウジング９の正しい位置合わせを確実にするウェブ１２および１３が、ダンパハウジング９の両側に設けられている。ダンパハウジング９のための受け口が、スロット１５がハウジング４の一端でプレート１４の間に形成された状態で、自動引き込み機構のハウジング４に上に形成されており、その結果、ウェブ１２または１３がこのスロットに嵌合されることができるようになっている。ダンパハウジング９はまた、２つのウェブ１２および１３を形成することにより、１８０°回転した状態で嵌合されることができる。
【００２２】
さらに、細長い切欠き部２２が、ダンパハウジング９の、駆動体５に対向している側の両側に形成されており、上記切欠き部は、ダンパハウジング９をハウジング４にラッチ係合する役目をしている。外側を向いた突出部８が一体的に形成されているラッチウェブ７が、ハウジング４上に形成されており、その結果、ダンパハウジング９がラッチウェブ７上に嵌合されると、突出部８が切欠き部２２に係合するようになっている。ダンパハウジング９は、ラッチウェブ７および突出部８を介してまたは摩擦力発生させるための他の手段を介して、クランプによってハウジング４上に固着される。
【００２３】
組立のためには、ピストンロッド１０を有するピストンが駆動体５に結合されることが必要である。この目的のために、ダンパは、まず第一に、図２に例示される位置に置かれる。次いで、可動レール２が手で閉位置に固着され、ダンパハウジングは前方へ変位する。ダンパハウジング上のウェブ１２および１３と、ハウジング４上のスロット１５とにより、突出部８をラッチウェブ７におよびダンパハウジング９上の切欠き部２２にラッチ係合させるための正しい位置が確実になる。適切な場所にラッチ係合したことは、音で確認することができる。ダンパハウジング９は、次いで、可動レール２は支持されたままの状態で、ダンパハウジング９の動作位置を越えて駆動体５の方向にさらに前方へ動かされ、その結果、球状部１１が、駆動体５上または駆動体５に接続された部材上の対応する受け口内にラッチ係合することができ、このラッチ係合も同様に、音で確認することができる。
【００２４】
代替例として、駆動体５が湾曲ガイド１６上の延出位置に保持されることもまた可能であり、その結果、ダンパハウジング９が押し込まれた時には、まだ、球状部１１と駆動体５上の対応する受け口との間の接続が生成され得ないようになる。しかし、これは問題ではない。なぜならば、駆動体５が戻されると、受け口は球状部１１に対して押圧されるからである。このとき、ダンパハウジング９はクランプによってハウジング４上に固着されており、ピストンロッド１０が、まず第一に、駆動体５にラッチ係合し、続いて、駆動体５が更に動いて初めて、ダンパハウジング９が変位する。ダンパハウジング９を変位するための力は、ピストンと共にダンパを延出させるための力より大きい。したがって、ラッチ係合動作の後、ダンパハウジング９は、全ての更なるレール運動に関し、取り付けおよび公差位置によって予め定められた動作位置に留まる。例えば、清掃作業の間や引っ越しなどの際に、偶然にダンパハウジング９が再度前方に押された場合には、次にガイドを普通に閉じると、自動的に動作位置が再現される。
【００２５】
動作位置を調整するために、ラッチ係合している突出部８は、長穴として設計されている切欠き部２２内で動かすことができる。その結果、いずれの場合も、ダンパハウジング９が自動引き込み機構のハウジング４内に押し込まれた後、駆動体５およびピストンロッド１０はダンパを作動させるために結合されることが、確実になる。加えて、公差は、ダンパハウジング９を２つの停止位置の間で変位可能に搭載することによって補償されることができる。ダンパハウジング９の、自動引き込み機構のハウジング４に対する可能な変位距離Ｌは、例えば５ｍｍまでの範囲であってもよい。
【００２６】
したがって、本発明による自動引き込み機構３には、ダンパを簡単に後付けすることができ、誤った組立が確実に回避される。自動引き込み機構のハウジング４にダンパハウジング９を結合するために、ラッチウェブ７および切欠き部２２の代わりに他のラッチ手段を設けることもできる。Ｔ字状のウェブ１２および１３を案内するための手段もまた、構成が異なってもよい。
【００２７】
図示した例示的な実施形態においては、閉鎖および保持用の装置は、家具のための自動引き込み機構として設計されている。もちろん、直線状の運動が第１に補助され、第２に制動される、水平または鉛直の引戸、高度な延長部、および他の可動部材に、本閉鎖および保持用の装置を使用することもまた可能である。
【図１】
2009537715.tif 000003
【図２Ａ】
2009537715.tif 000004
【図２Ｂ】
2009537715.tif 000005
【図３】
2009537715.tif 000006
【図４】
2009537715.tif 000007
【図５】
2009537715.tif 000008
【図６】
2009537715.tif 000009
【国際調査報告】
2009537715.tif 000010
2009537715.tif 000011
2009537715.tif 000012
2009537715.tif 000013